(57)【要約】本発明は、使用者が排便時にその腕を載せることができるトイレ用上体支持装置を提供する。前記上体支持装置（１）には、使用者の腕をその上で支持する支持板（１１）と、前記支持板がそれに対して沿ってスライドする経路を提供する水平軸（１３）と、が含まれ、前記上体支持装置には、前記水平軸がその片端部の周りを９０°の角度範囲内で上方または下方に回転可能なように前記水平軸の片端部を支持するヒンジ部（１５）と、前記ヒンジ部を支持し、かつ前記ヒンジ部を左右に回転するか、または前記ヒンジ部を上方または下方に移動させる駆動部（１９）をその中に収容する垂直フレーム（１７）と、がさらに含まれる。【選択図】図１
2010528701.tif 000002
【特許請求の範囲】
【請求項１】
トイレ室内のトイレに隣接した所定の位置に設けられてトイレに座る使用者の上体を支持するトイレ用上体支持装置において、前記上体支持装置は、使用者の腕をその上で支持する支持板と、前記支持板がそれに対して沿ってスライドする経路を提供する水平軸と、前記水平軸が片端部の周りを９０度前後の角度範囲内で上方または下方に回転可能なように前記水平軸の片端部を支持するヒンジ部と、前記ヒンジ部を支持し、かつワンタッチボタン制御方式で前記ヒンジ部を左右に回転するか、または前記ヒンジ部を上方または下方に移動させる駆動部をその中に収容する垂直フレームと、を含むことを特徴とするトイレ用上体支持装置。
【請求項２】
前記支持板は、前記支持板表面の各両端に配置される各透明窓に設けられた遠赤外線ランプを含むことを特徴とする請求項１に記載の上体支持装置。
【請求項３】
前記支持板は、前記支持板表面の各両端に配置される各透明窓に設けられた近赤外線ランプを含むことを特徴とする請求項１に記載の上体支持装置。
【請求項４】
前記支持板は、前記支持板表面の各両端に配置される各透明窓に設けられた紫外線ランプを含むことを特徴とする請求項１に記載の上体支持装置。
【請求項５】
前記透明窓のそれぞれは半透明材料からなることを特徴とする請求項４に記載の上体支持装置。
【請求項６】
前記支持板のスライド動作をガイドする湾曲縁部は前記支持板下面の各両側縁部の下に一体的に設けられて、前記支持板の長手方向に所定の長さで延長していることを特徴とする請求項１に記載の上体支持装置。
【請求項７】
蓋状部が前記支持板上面の中間内側部に設けられ、前記蓋状部はヒンジで開閉可能な蓋で覆われることを特徴とし、しかも、クッション部材が前記支持板の上面に固着していることを特徴とする請求項１に記載の上体支持装置。
【請求項８】
使用者に隣接した位置において前記支持板下面の下に設けられた振動部をさらに含むことを特徴とする請求項１に記載の上体支持装置。
【請求項９】
前記振動部は、前記水平軸に延長する電力線に接続されたモータの回転で振動するデバイスからなることを特徴とする請求項８に記載の上体支持装置。
【請求項１０】
前記モータの回転を用いる前記振動部の振動は偏心体回転で行われることを特徴とする請求項９に記載の上体支持装置。
【請求項１１】
前記水平軸は、前記遠赤外線ランプ用電源供給配線が配置される空間をその中に有する管形状であることを特徴とし、しかも、前記支持板の湾曲縁部に対応して前記支持板のスライド動作をガイドするガイド板とともにその上面に設けられることを特徴とする請求項１に記載の上体支持装置。
【請求項１２】
前記ガイド板は前記水平軸の上面の片端に設けられ、前記水平軸の長さの１/２を占めることを特徴とする請求項１１に記載の上体支持装置。
【請求項１３】
支持ブロックが前記水平軸の下面の下に設けられることを特徴とし、前記支持ブロックは前記垂直フレームの上端部の外面に接触して前記支持板にかかる使用者の体重を支えることを特徴とする請求項１に記載の上体支持装置。
【請求項１４】
前記ヒンジ部は、前記水平軸の片端がヒンジで連結されるブラケットを含むことを特徴とし、前記ブラケットは、前記ブラケットの下面の下に設けられた支持軸と支持軸受とともに前記水平軸が９０°の角度範囲内（水平方向と垂直方向間）で回転するように部分的に切除されていることを特徴とする請求項１に記載の上体支持装置。
【請求項１５】
前記ヒンジは、前記ヒンジ部の外面に取り付けられているモータの出力軸に連結することを特徴とする請求項１４に記載の上体支持装置。
【請求項１６】
前記垂直フレームは、前記ヒンジ部をその上端部で支持する上部フレームであって、前記上部フレームは前記駆動部を制御するキーボタンを有する制御パッドとともにその外面に設けられることを特徴とする上部フレームと；
トイレ室内の床に取り付けられる下部フレームであって、前記下部フレームは、その下端部が前記下部フレームに挿入される前記上部フレームを支持することを特徴とし、前記下部フレームは、前記上部フレームが垂直方向に可動であるが、前記下部フレームに対しては回転できないように前記上部フレームを支持することを特徴とする下部フレームと、からなることを特徴とする請求項１に記載の上体支持装置。
【請求項１７】
ガイド溝は前記上部フレームの円周外面に形成され、前記上部フレームの下端部からその中間内側部に延長し、さらに、ガイド突起が前記下部フレームに設けられて、前記ガイド溝がそれに沿って上方または下方に移動する経路を規定することを特徴とする請求項１６に記載の上体支持装置。
【請求項１８】
停止リングが前記上部フレームの下端部に設けられ、ストッパが前記下部フレームの上端部に設けられて前記停止リングが前記下部フレームから除去されることを防止することを特徴とする請求項１６に記載の上体支持装置。
【請求項１９】
前記ストッパは、前記下部フレームの上端部に嵌合する円環状のキャップからなることを特徴とする請求項１８に記載の上体支持装置。
【請求項２０】
前記駆動部は、制御パッドのキーボタンを操作することにより選択されたコマンドに対応して外部電力で動作を行う制御手段と、前記制御手段から伝達される動作信号に応答して正逆方向に回転して前記ヒンジ部を左右に回転する左右回転モータと、前記制御手段から伝達される動作信号に応答して正逆方向に回転して前記垂直フレームの上部フレームを前記垂直フレームの下部フレームに対して上方または下方に移動させるリフトモータと、からなることを特徴とする請求項１に記載の上体支持装置。
【請求項２１】
前記左右回転モータは前記上部フレームの上端部に取り付けられ、前記リフトモータは前記上部フレームの下端部に取り付けられることを特徴とする請求項２０に記載の上体支持装置。
【請求項２２】
前記リフトモータの出力軸は外径ねじ山を有するリードねじからなることを特徴とする請求項２０に記載の上体支持装置。
【請求項２３】
前記リフトモータの出力軸は、前記下部フレームの下端部に設けられた支持板を介してねじ回転方式で回転可能なように挿入されることを特徴とする請求項２１に記載の上体支持装置。
【発明の詳細な説明】
【技術分野】
【０００１】
本発明は、トイレに座る使用者の上体を支持する上体支持装置に関する。
【背景技術】
【０００２】
一般に、トイレ使用者のほとんどは、トイレに座って排便する際に、その上体を前方に折り曲げてその腕を脚に置く。
【０００３】
しかしながら、かかる姿勢は悪い習慣、つまり無意識に日常生活で悪い姿勢をする習慣をつけてしまう。さらに、かかる姿勢は便の排出に悪い影響を及ぼす。
【０００４】
さらに、使用者が上記姿勢で無理して排便で力む場合、血圧が上昇して身体に悪影響を及ぼすという問題がある。
【０００５】
最近、過度のストレスと減量の試みとに起因する便秘者数が顕著に増加しており、かかる便秘者の場合、排便時の不安感のためにスムーズな排便を行うことがさらに困難になっている。
【０００６】
特に、排便者が排便時に他の日常行為を数分間行うことを可能にする別個の装置があれば、多忙な生活を送る人々に大いに役立つ。
【０００７】
この目的を達成して前述の問題を克服するため、本発明の出願人によって出願されたトイレ用上体支持板、韓国実用新案登録番号第３９０２６７号（出願日：２００５年４月１４日、登録日：２００７年７月１１日）で提案されている。前記従来の上体支持板には、使用者の腕をその上で支持する支持板と、前記支持板に連結されて前記支持板を支持する支持杆と、前記支持杆がそれに対して所定の角度範囲内で回転可能なように挿入され、かつトイレ室内に取り付けられて前記支持板と前記支持杆とをトイレ室内での所定の位置に位置決めする取付杆と、が含まれている。
【０００８】
本発明の出願人が開示した前記上体支持板のサンプルはすでに開発されて、その商品化も行われており、非常に前向きな反応を受けた。特に、前記上体支持板は高齢者や脆弱者から良好な反応引き起こしたが、前記従来の上体支持板の場合、前記支持板が比較的に重いことから、高齢者や脆弱者が前記支持板を持ち上げたり、押したりすることが困難であった。さらに、冬季に使用者が腕を前記上体支持板に載せる際、支持板が冷たくなっているために使用者が寒気を感じることもあるという欠点がある。よって、これらの問題に対する解決策が必要になる。
【発明の概要】
【発明が解決しようとする課題】
【０００９】
そこで、本発明は上記の従来技術の問題点を念頭に置いてなされ、本発明の目的は、、使用者が排便時に腕をその上に載せることができ、限定された空間のトイレ室内における使用者の自由な動きが確保されるように構成され、トイレ室のドアの開閉を妨げず、さらに、前記装置の高さが使用者の身長に応じて調整可能であり、しかも、冬季に使用者の体温を維持する暖房機能と、使用者の腹部を刺激して便の排出を促進する振動機能と、を有するトイレ用上体支持装置を提供することにある。
【課題を解決するための手段】
【００１０】
上記目的を達成するため、本発明は、トイレ室のトイレに隣接した所定の位置に設けられ、トイレに座る使用者の上体を支持するトイレ用上体支持装置を提供し、前記上体支持装置は、使用者の腕をその上で支持する支持板と、前記支持板がそれに対して沿ってスライドする経路を提供する水平軸と、前記水平軸がその片端部の周りを９０度前後の角度範囲内で上方または下方に回転可能なように前記水平軸の片端部を支えるヒンジ部と、前記ヒンジ部を支え、かつワンタッチボタン制御方式で前記ヒンジ部を左右に回転させたり、前記ヒンジ部を上方または下方に移動させたりする操作部をその中に収容する垂直フレームと、使用者の腹部を刺激して便の排出を促進する振動部と、を有する。
【発明の効果】
【００１１】
本発明にかかるトイレ用上体支持装置では、使用者が排便時にその腕を支持板上に載せることができるので、使用者の上体が前方に傾きすぎないように正しい姿勢を保ち、その結果、排便に起因する血圧の上昇を防止する。
【００１２】
さらに、通常、未使用状態では、前記支持板は直立状態または水平状態で壁に隣接した位置に配置することができ、限定された空間のトイレ室内で使用者の自由な動きが確保され、前記上体支持装置はトイレ室のドアの開閉を妨げない。
【００１３】
その上、本発明では、ワンタッチボタン制御方式で制御ボタンを操作することにより前記支持板を自動的に下方または上方に回転して開閉することができる。そのため、高齢者や脆弱者も前記上体支持装置を容易に使用することができる。
【図面の簡単な説明】
【００１４】
【図１】本発明の一実施形態に従ってトイレ室内のトイレに隣接して設けられた上体支持装置を説明する斜視図である。
【図２】本発明に従って下方に回転した状態での前記上体支持装置の構造を示す斜視図である。
【図３】本発明に従って下方に回転した状態での前記上体支持装置の構造を示す断面図である。
【図４】本発明に従って上方に回転した状態での前記上体支持装置の構造を示す斜視図である。
【図５】本発明に従って上方に回転した状態での前記上体支持装置の構造を示す部分断面図である。
【図６】本発明に係る上体支持装置の支持板が延長した状態を示す斜視図である。
【図７】本発明に係る支持板が延長した状態を示す部分断面図である。
【図８】本発明に従って左右に回転した前記上部板をそれぞれ示す部分平面図である。
【図９】本発明に従って左右に回転した前記上部板をそれぞれ示す部分平面図である。
【図１０】本発明に従って上方または下方に移動した状態での垂直フレームを示す断面図である。
【図１１】本発明に従って上方または下方に移動した状態での垂直フレームを示す断面図である。
【図１２】本発明に従って上方または下方に移動した状態での垂直フレームを示す断面図である。
【図１３】本発明に係る上体支持装置に追加的に設けられた加熱/滅菌部と振動部を説明する断面図である。さらに、
【図１４】本発明に係る上体支持装置の蓋状部の開閉動作を示す断面図である。
【発明を実施するための形態】
【００１５】
以下、本発明について添付図面を参照して詳細に説明する。
【００１６】
図１は本発明の一実施形態に従ってトイレ室内のトイレに隣接して設けられた上体支持装置を説明する斜視図であり、図２は本発明に従って下方に回転した状態での前記上体支持装置の構造を示す斜視図であり、図３は本発明に従って下方に回転した状態での前記上体支持装置の構造を示す断面図であり、図４は上方に回転した状態での前記上体支持装置の構造を示す斜視図であり、図５は上方に引き出された状態での前記上体支持装置の構造を示す部分断面図であり、図６は前記上体支持装置の支持板が延長した状態を示す斜視図であり、図７は前記支持板が延長した状態を示す部分断面図であり、図８と図９は左右に回転した前記上部板をそれぞれ説明する部分平面図であり、図１０から図１２は上方または下方に移動した状態での垂直フレームを示す断面図であり、図１３は前記上体支持装置に追加的に設けられた加熱/滅菌部と振動部を説明する断面図であり、図１４は前記上体支持装置の蓋状部の開閉動作を説明する断面図である。
【００１７】
図１から図４に示したように、本発明に係る上体支持装置１０はトイレ１に隣接した所定の位置に設けられて使用者の上体を支持し、前記上体支持装置１０には、その上に使用者の腕が載せられる支持板１１と、前記支持板１１がそれに対して沿ってスライドする経路を提供する水平軸１３と、前記水平軸１３がその片端部の周りを９０度前後の角度範囲内で上方または下方に回転可能なように前記水平軸１３の片端部を支持するヒンジ部１５と、前記ヒンジ部１５を支持し、かつワンタッチボタン制御方式で前記ヒンジ部１５を左右に回転するか、または前記ヒンジ部１５を上方または下方に移動させる駆動部１９をその中に収容する垂直フレーム１７と、が含まれる。
【００１８】
本発明では、ヒンジで開閉する蓋を有する蓋状部１１ａが前記支持板１１の上面中間内側部に設けられており、透明窓が前記支持板１１の蓋状部１１ａの両側に配設されており、遠赤外線ランプ１１ｂが前記各透明窓の内部に設けられており、前記支持板１１のスライド動作をガイドする湾曲縁部１１ｃが前記支持板１１下面の各両側縁部の下に一体的に設けられて、軸方向に所定の長さで延長しており、クッション部材１１ｄが前記支持板１１の上面に固着している。
【００１９】
ここで、前記遠赤外線ランプ１１ｂは前記透明窓を介して前記装置の外側に光と熱を放射する働きをするため、冬季に冷気を和らげる。
【００２０】
さらに、紫外線ランプを前記遠赤外線ランプ１１ｂの代わりに用いることもできるが、その場合には、前記透明窓は、好ましくは紫外線を部分的に遮断して使用者の皮膚への過度の紫外線照射傷害を防止するように半透明材料からなる。
【００２１】
前記湾曲縁部１１ｃは後述する前記水平軸１３のガイド板１３ａに対応して、前記ガイド板１３ａとともに前記支持板１１のスライド動作をガイドする働きをする。
【００２２】
加えて、ゴム、シリコンまたはスポンジを革で覆い前記クッション部材１１ｄとして使用することもできる。
【００２３】
なお、前記水平軸１３は管であり、前記遠赤外線ランプ１１ｂ用電源供給配線が配置される空間を持つ。前記ガイド板１３ａは、前記支持板１１の湾曲縁部１１ｃに対応して前記支持板１１のスライド動作をガイドする前記水平軸１３の上面に取り付けられる。
【００２４】
ここで、前記ガイド板１３ａは、管構造を有し、前記水平軸１３の片端の上面に設けられ前記水平軸１３の長さの約１/２を占める。この構造のために、前記垂直軸１３に対してスライドする前記支持板１１は、前記垂直軸１３から外側に向かって適切な長さで安定して延びる。
【００２５】
さらに、支え部１３ｂが前記水平軸１３の下面の下に支え部分として設けられている。前記支え部１３ｂは前記垂直フレーム１７の上端部の外面に接触して、前記支持板１１にかかる使用者の体重を支える働きをする。
【００２６】
前記ヒンジ部１５には、肘金具が含まれる、前記水平軸１３の片端部がそれにヒンジ１５ａで連結され、かつ前記水平軸１３が約９０度の角度範囲内、つまり水平方向と垂直方向間で回転するように部分的に切除されており、前記ヒンジ部１５は支持軸１５ｂと支持軸受１５ｃとともにその下面に設けられる。
【００２７】
ここで、前記ヒンジ１５ａは、前記支持板１１の回転を使用者の操作で自動的に行うことができるように前記ヒンジ部１５外側に設けられたモータの出力軸に連結することもできる。
【００２８】
さらに、前記支持軸１５ｂは、後述する前記垂直フレーム１７の上部フレーム上端部を貫通し、左右回転モータの出力軸に連結されて左右回転力を伝達する働きをする。
【００２９】
前記支持軸受１５ｃは、前記垂直フレーム１７の上部フレーム上面に着座する前記ヒンジ部１５がスムーズに回転できるように前記ヒンジ部１５と前記垂直フレーム１７の上部フレーム上面との間に挟入される。
【００３０】
前記垂直フレーム１７には、前記ヒンジ部１５をその上端部で支持し、前記駆動部１９を制御するキーボタンを有する制御パッド１９ａとともに、その外面に設けられる前記上部フレーム１７ａと、トイレ室内の床に取り付けられ、その下端部が前記下部フレーム１７ｂに挿入される前記上部フレーム１７ａを支持する下部フレーム１７ｂと、が含まれる。ここで、前記下部フレーム１７ｂは、前記上部フレーム１７ａが前記下部フレーム１７ｂに対して回転することなしに垂直方向のみに可動なように前記上部フレーム１７ａを支持する。
【００３１】
この目的を達成するため、前記上部フレーム１７ａの円周外面にガイド溝Ｇが形成され、前記上部フレーム１７ａの下端部からその中間内側部に延長しており、前記ガイド溝Ｇがそれに沿って上方または下方に移動する経路を規定するガイド突起Ｐが前記下部フレーム１７ｂに設けられている。
【００３２】
その結果、前記上部フレーム１７ａを前記下部フレーム１７ｂに対して上方または下方に移動させるモータを作動させると、前記上部フレーム１７ａは不所望な回転なしに上方または下方のみに移動することができる。
【００３３】
さらに、停止リングＴが前記上部フレーム１７ａの下端部に設けられている。ストッパＳが前記下部フレーム１７ｂの上端部に設けられており、前記停止リングＴが前記下部フレーム１７ｂから不所望に除去されることを防止している。前記ストッパＳは、前記下部フレーム１７ｂの上端部に嵌合する円環状のキャップであってもよい。
【００３４】
この構造のために、前記上部フレーム１７ａが過剰に上方移動する場合でさえも、前記下部フレーム１７ｂから除去できないようになっている。さらに、前記下部フレーム１７ｂは、前記上部フレーム１７ａが不所望に移動することなしに前記下部フレーム１７ｂの円周内面に沿って上方または下方にスライドするように前記上部フレーム１７ａを支持できる。
【００３５】
なお、前記駆動部１９には、前記前記制御パッドのキーボタン１９ａを操作することにより選択されたコマンドに対応して、外部電力で動作を行う制御手段１９ｂと、前記制御手段１９ｂから伝達される動作信号に応答して逆回転して前記ヒンジ部１５を左右に回転する前記左右回転モータ１９ｃと、が含まれるとともに、前記駆動部１９には、前記制御手段１９ｂから伝達される動作信号に応答して逆回転して前記下部フレーム１７ｂを上方または下方に移動させるリフトモータ１９ｄがさらに含まれる。
【００３６】
好ましくは、前記左右回転モータ１９ｃは前記上部フレーム１７ａの上端部に取り付けられ、前記リフトモータ１９ｄは前記上部フレーム１７ａの下端部に取り付けられる。
【００３７】
さらに、外径ねじ山を有するリードねじが、前記リフトモータ１９ｄの出力軸として使用されており、それが支持板を介して挿入されるように構成されており、しかも、ねじ回転方式で回転可能なように前記下部フレーム１７ｂの下端部に設けられている。ここで、前記支持板は、前記下部フレーム１７ｂの円周内面に取り付けられ、その中心部はねじ結合方式で回転可能なように前記リフトモータ１９ｄの出力軸に嵌合する。
【００３８】
前述の構造を持つ本発明では、図５に示したように、使用者がトイレに座り、トイレに隣接した位置に配置された前記支持板１１を使用者上体前方部で下方に回転すると、前記ヒンジ部１５に結合した前記水平軸１３の片端部は前記ヒンジ部１５の周りを回転し、その結果、前記水平軸１３に連結した前記支持板１１は、使用者上体前方部で水平方向に配向される。
【００３９】
従って、図６と図７に示したように、前記支持板１１が前記水平軸１３から遠ざかる方向に引き寄せられると、前記支持板１１は前記水平軸１３から引き出される状態、つまりその長さが、前記前記水平軸１３のガイド板１３ａに対してスライドする前記支持板１１の湾曲縁部１１ｃにガイドされて延長された状態になる。
【００４０】
ここで、その長さの延長を適切に調整して使用者の身体に適合させることができる。
【００４１】
前記支持板１１が使用者上体前方部に移動した後に、使用者が前記支持板１１でその上体を支える必要がない場合、または使用者が他の日常行為を行うためにしばらくの間前記支持板１１を使用する必要がない場合、前記駆動部１９の制御パッド１９ａに設けられた左右回転制御ボタンを操作することにより、前記支持板１１をトイレ室内の壁に向かって水平方向に回転することができる。
【００４２】
より詳細に説明すると、図８と図９に示したように、前記駆動部１９の制御パッド１９ａの左回転制御ボタンを押すと、前記左右回転モータ１９ｃは正方向に回転するので、前記支持板１１はトイレ室内の壁に向かって水平方向に回転する。前記支持板１１を再び使用する必要がある場合、前記右回転制御ボタンを押すと、前記左右回転モータ１９ｃは逆方向に回転するので、前記支持板１１は使用者に向かって回転し、前記支持板１１の使用が可能になる。
【００４３】
さらに、図１０から図１２に示したように、該支持板の高さを使用者の座高に合わせて調整する必要がある場合、例えば、使用者の座高が比較的に高い場合、前記駆動部１９の制御パッド１９ａに設けられている垂直制御ボタンのうちの対応するボタンを押すと、前記リフトモータ１９ｄは正方向に回転し、その結果、前記上部フレーム１７ａは、前記リフトモータ１９ｄの出力軸が回転自在に螺結されている前記下部フレーム１７ｂに対して回転しようとするが、前記下部フレーム１７ｂのガイド突起Ｐが前記上部フレーム１７ａ内のガイド溝Ｇに挿入されることから、前記上部フレーム１７ａは前記下部フレーム１７ｂに対して回転することなしに上方に移動する。
【００４４】
使用者の座高は比較的に低い場合には、前記駆動部１９の制御パッド１９ａの垂直制御ボタンの対応するボタンを押すと、前記リフトモータ１９ｄは逆方向に回転し、その結果、前記上部フレーム１７ａは、前記上部フレーム１７ａの上方移動の説明における原理と同じ原理で前記下部フレーム１７ｂに対して回転することなしに下方に移動する。
【００４５】
本発明では、駆動信号が前記制御手段１９ｂから左右回転モータ１９ｃまたは前記リフトモータ１９ｄに伝達されない場合、特に電力が印加されない場合でさえも、本装置は手動方式で作動させることができ、また、緊急電力を供給する予備充電バッテリーが前記制御手段１９ｂに設けられていることから、停電時などの緊急状態でさえも、前記装置をしばらくの間作動させることができる。
【００４６】
さらに、上記のように、図１３を参照すると、前記開くことができる蓋を有する前記蓋状部１１ａを前記支持板１１の上面中間内側部に設けることもでき、前記遠赤外線ランプ１１ｂを、前記支持板１１の蓋状部１１ａの両側に配置される前記各透明窓の内部に設けることもできる。
【００４７】
この場合、前記遠赤外線ランプ１１ｂは、前記透明窓を介して熱ならびに人体に有益な遠赤外線を出射するため冬季に冷気を和らげる。ここで、紫外線ランプを前記遠赤外線ランプ１１ｂの代わりに用いることもできるが、その場合、前記透明窓は、好ましくは部分的に紫外線を遮断する機能を有するため、使用者の皮膚への過度の紫外線照射傷害を防止する。
【００４８】
さらに、本発明には、使用者に隣接した位置において前記支持板１１下面の下に設けられる振動部２０をさらに含むこともできる。この場合、本発明は、使用者の腹部をマッサージする機能を有することができる。つまり、使用者がその腹部を前記振動部２０に接触させて前記振動部２０に対応する前記制御パッド１９ａの制御ボタンを押すと、前記振動部２０は使用者の腹部をマッサージする。特に、便秘の使用者の場合、前記振動部２０は使用者の大腸を刺激するため、便を容易に排出することができる。
【００４９】
ここで、前記振動部２０は前記支持板１１に嵌合方式またはねじ結合方式で連結することもでき、その上、前記振動部２０は、その前方方向に対する傾斜角度を調整できるように構成してもよい。
【００５０】
さらに、前記振動部２０は、前記管構造を有する前記水平軸１３に延長する電力線に接続されたモータの回転で振動するデバイスを含むこともできる。ここで、前記モータの回転を用いる前記振動部２０の振動は偏心体の回転で実現することもできる。
【００５１】
前記水平軸１３に対する前記支持板１１のスライド動作のために前記振動部２０に接続された前記電力線の動きを考慮すると、前記電力線がそれを介して前記水平軸１３から引き出されるスロットが前記水平軸１３内に形成されることが好ましい。
【００５２】
さらに、前記蓋状部１１ａの蓋は、好ましくは本をその上に載せられるように構成される。加えて、使用者のさまざまな物品が前記支持板１１から落ちないように、それらを前記蓋状部１１ａ内に収納できるようになっている。
【００５３】
本発明の好適な実施形態を例示目的で開示したが、本発明は前記例示的な実施形態の構造と動作に限定されるものではなく、添付の特許請求の範囲に開示された本発明の範囲と真の趣旨から逸脱することなく、さまざまな変更、追加および代替が可能であることを当業者であれば理解するであろう。
【００５４】
従って、かかる変更、追加および代替も本発明の範囲内に包含されるものであることはいうまでもない。
【産業上の利用可能性】
【００５５】
上記のように、本発明の上体支持装置により、使用者は排便時にその腕を支持板上に載せることができるため、使用者の上体が前方に傾きすぎないように正しい姿勢を保ち、その結果、排便に起因する血圧の上昇を防止する。
【００５６】
さらに、通常、未使用状態では、前記支持板は直立状態または水平状態で壁に隣接した位置に配置することができ、限定された空間のトイレ室内で使用者の自由な動きが確保され、前記上体支持装置はトイレ室のドアの開閉を妨げない。
【００５７】
その上、本発明では、ワンタッチボタン制御方式で制御ボタンを操作することにより前記支持板を自動的に下方または上方に回転して開閉することができることから、高齢者や脆弱者でさえも前記上体支持装置を容易に使用することができる。
【００５８】
さらに、熱発生手段または滅菌手段が前記支持板に設けられているため冬季に使用者の体温を維持し、衛生状態を継続的に維持することが困難なトイレ室内での個人衛生を向上させることができる。
【００５９】
加えて、本発明の上体支持装置が高齢者や脆弱者、特に代謝が悪い高齢者に使用される場合、本発明の上体支持装置は排便を促進できるため、スムーズな排便を促す。
【００６０】
また、本発明により、使用者がその上に腕を載せることができるとともに、本や漫画本をその上に置くこともできるため、便の排出ばかりでなく、他の日常行為を行うことも可能にする。
【図１】
2010528701.tif 000003
【図２】
2010528701.tif 000004
【図３】
2010528701.tif 000005
【図４】
2010528701.tif 000006
【図５】
2010528701.tif 000007
【図６】
2010528701.tif 000008
【図７】
2010528701.tif 000009
【図８】
2010528701.tif 000010
【図９】
2010528701.tif 000011
【図１０】
2010528701.tif 000012
【図１１】
2010528701.tif 000013
【図１２】
2010528701.tif 000014
【図１３】
2010528701.tif 000015
【図１４】
2010528701.tif 000016
【国際調査報告】
2010528701.tif 000017
2010528701.tif 000018